(57)【要約】【課題】この発明は、最適な記録条件での最適な記録ができない場合があるという課題を解決しようとするものである。【解決手段】この発明は、情報記録媒体１０１の種別ごとに最適記録条件を記憶する記録ストラテジ記憶手段１１１と、情報記録媒体種別情報再生手段１０２，１０８で読み取った情報記録媒体種別に関する情報に対応する最適記録条件が記録ストラテジ記憶手段１１１に存在するときに、情報記録媒体種別情報再生手段１０２，１０８で読み取った情報記録媒体種別に関する情報に対応する最適記録条件を用いて情報記録を行わせる記録ストラテジ決定手段１０９と、情報記録媒体種別情報再生手段１０２，１０８で読み取った情報記録媒体種別に関する情報に対応する最適記録条件が記録ストラテジ記憶手段１１１に存在しないときに、その旨を上位装置１０５あるいは使用者に通知する未知情報記録媒体通知手段１０９とを設けたものである。【選択図】  図１
2004362631.tif 000002
【特許請求の範囲】
【請求項１】
光源から出射された光ビームを、情報記録媒体に集光して情報の記録を行う情報記録装置であって、
前記情報記録媒体にあらかじめ記録された情報記録媒体の種別に関する情報を読み取る情報記録媒体種別情報再生手段と、
前記情報記録媒体の種別ごとに最適記録条件を記憶する記録ストラテジ記憶手段と、
前記情報記録媒体種別情報再生手段で読み取った情報記録媒体種別に関する情報に対応する最適記録条件が前記記録ストラテジ記憶手段に存在するときに、前記情報記録媒体種別情報再生手段で読み取った情報記録媒体種別に関する情報に対応する最適記録条件を用いて情報記録を行わせる記録ストラテジ決定手段と、
前記情報記録媒体種別情報再生手段で読み取った情報記録媒体種別に関する情報に対応する最適記録条件が前記記録ストラテジ記憶手段に存在しないときに、その旨を上位装置あるいは使用者に通知する未知情報記録媒体通知手段と
を設けたことを特徴とする情報記録装置。
【請求項２】
請求項１記載の情報記録装置において、
前記記録ストラテジ記憶手段のデータあるいは該データを含む装置制御プログラムを書き換える記録ストラテジ更新手段を備え、
前記未知情報記録媒体通知手段は前記記録ストラテジ記憶手段のデータあるいは該データを含む装置制御プログラムの更新を促進するメッセージを通知すること
を特徴とする情報記録装置。
【請求項３】
請求項１または２記載の情報記録装置において、
前記情報記録媒体種別情報再生手段で読み取った情報記録媒体種別に関する情報に対応する最適記録条件が前記記録ストラテジ記憶手段に存在しないときに、未知情報記録媒体用の記録条件を決定して情報記録を行わせるデフォルト記録ストラテジ決定手段
を設けたことを特徴とする情報記録装置。
【請求項４】
請求項３記載の情報記録装置において、
前記情報記録媒体種別情報再生手段で読み取った情報記録媒体種別に関する情報に対応する最適記録条件が前記記録ストラテジ記憶手段に存在しないときに、前記未知情報記録媒体用の記録条件で記録するか、記録を禁止するかを選択する選択手段
を設けたことを特徴とする情報記録装置。
【請求項５】
光源から出射された光ビームを情報記録媒体に集光して情報の記録を行う情報記録装置に接続される上位装置の情報記録装置制御ソフトウエアであって、
前記情報記録媒体にあらかじめ記録された情報記録媒体種別に関する情報を読み取る情報記録媒体種別情報再生手段と、
前記情報記録媒体の種別ごとに最適記録条件を記憶する記録ストラテジ記憶手段と、
前記情報記録媒体種別情報再生手段で読み取った情報記録媒体種別に関する情報に対応する最適記録条件が前記記録ストラテジ記憶手段に存在するときに、前記情報記録媒体種別情報再生手段で読み取った情報記録媒体種別に関する情報に対応する最適記録条件を用いて情報記録を行わせる記録ストラテジ決定手段と、
前記情報記録媒体種別情報再生手段で読み取った情報記録媒体種別に関する情報に対応する最適記録条件が前記記録ストラテジ記憶手段に存在しないときに、その旨を前記上位装置に通知する未知情報記録媒体通知手段と
を有する前記情報記録装置と接続された前記上位装置を動作させ、
前記未知情報記録媒体通知手段からの未知情報記録媒体通知に応答して、情報記録を行うべき情報記録媒体が未知情報記録媒体であることを表示手段に表示させることを前記上位装置に行わせること
を特徴とする情報記録装置制御ソフトウエア。
【請求項６】
請求項５記載の情報記録装置制御ソフトウエアにおいて、
前記情報記録装置が、前記記録ストラテジ記憶手段のデータあるいは該データを含む装置制御プログラムを書き換える記録ストラテジ更新手段を備え、
前記未知情報記録媒体通知手段からの未知情報記録媒体通知に応答して、前記記録ストラテジ記憶手段のデータあるいは該データを含む装置制御プログラムの更新を促進するメッセージを通知することを前記上位装置に行わせること
を特徴とする情報記録装置制御ソフトウエア。
【請求項７】
請求項５または６記載の情報記録装置制御ソフトウエアにおいて、
前記情報記録装置が、前記情報記録媒体種別情報再生手段で読み取った情報記録媒体種別に関する情報に対応する最適記録条件が前記記録ストラテジ記憶手段に存在しないときに、未知情報記録媒体用の記録条件を決定して情報記録を行なうためのデフォルト記録ストラテジ決定手段を備え、
前記未知情報記録媒体通知手段からの未知情報記録媒体通知に応答して、前記情報記録媒体種別情報再生手段で読み取った情報記録媒体種別に関する情報に対応する最適記録条件が前記記録ストラテジ記憶手段に存在しないときに、未知情報記録媒体用の記録条件で記録するか、記録を禁止するかを選択する選択肢を表示させ、この選択肢の選択結果が未知情報記録媒体用の記録条件で記録する選択肢の選択であるときに、前記デフォルト記録ストラテジ決定手段を用いで記録を行なわせることを前記上位装置に行わせること
を特徴とする情報記録装置制御ソフトウエア。
【請求項８】
請求項６または７記載の情報記録装置制御ソフトウエアにおいて、
前記未知情報記録媒体通知手段からの未知情報記録媒体通知に応答して、前記記録ストラテジ記憶手段のデータあるいは該データを含む装置制御プログラムの更新を行わせることを前記上位装置に行わせること
を特徴とする情報記録装置制御ソフトウエア。
【請求項９】
光源から出射された光ビームを情報記録媒体に集光して情報の記録を行う情報記録装置に接続される情報記録装置制御装置であって、
前記情報記録媒体にあらかじめ記録された情報記録媒体種別に関する情報を読み取る情報記録媒体種別情報再生手段と、
前記情報記録媒体の種別ごとに最適記録条件を記憶する記録ストラテジ記憶手段と、
前記情報記録媒体種別情報再生手段で読み取った情報記録媒体種別に関する情報に対応する最適記録条件が前記記録ストラテジ記憶手段に存在するときに、前記情報記録媒体種別情報再生手段で読み取った情報記録媒体種別に関する情報に対応する最適記録条件を用いて情報記録を行わせる記録ストラテジ決定手段と、
前記情報記録媒体種別情報再生手段で読み取った情報記録媒体種別に関する情報に対応する最適記録条件が前記記録ストラテジ記憶手段に存在しないときに、その旨を前記上位装置に通知する未知情報記録媒体通知手段と
を有する前記情報記録装置と接続され、
前記未知情報記録媒体通知手段からの未知情報記録媒体通知に応答して、情報記録を行うべき情報記録媒体が未知情報記録媒体であることを表示させる表示手段を備えた
を特徴とする情報記録装置制御装置。
【請求項１０】
請求項９記載の情報記録装置制御装置において、
前記情報記録装置が、前記記録ストラテジ記憶手段のデータあるいは該データを含む装置制御プログラムを書き換える記録ストラテジ更新手段を備え、
前記未知情報記録媒体通知手段からの未知情報記録媒体通知に応答して、前記記録ストラテジ記憶手段のデータあるいは該データを含む装置制御プログラムの更新を促進するメッセージを通知する手段
を備えたことを特徴とする情報記録装置制御装置。
【請求項１１】
請求項９または１０記載の情報記録装置制御装置において、
前記情報記録装置が、前記情報記録媒体種別情報再生手段で読み取った情報記録媒体種別に関する情報に対応する最適記録条件が前記記録ストラテジ記憶手段に存在しないときに、未知情報記録媒体用の記録条件を決定して情報記録を行なうためのデフォルト記録ストラテジ決定手段を備え、
前記未知情報記録媒体通知手段からの未知情報記録媒体通知に応答して、前記情報記録媒体種別情報再生手段で読み取った情報記録媒体種別に関する情報に対応する最適記録条件が前記記録ストラテジ記憶手段に存在しないときに、未知情報記録媒体用の記録条件で記録するか、記録を禁止するかを選択する選択肢を表示する表示手段と、前記選択肢の選択結果が未知情報記録媒体用の記録条件で記録する選択肢の選択であるときに、前記デフォルト記録ストラテジ決定手段を用いで記録を行なわせる手段と
を備えたことを特徴とする情報記録装置制御装置。
【請求項１２】
請求項１０または１１記載の情報記録装置制御装置において、
前記未知情報記録媒体通知手段からの未知情報記録媒体通知に応答して、前記記録ストラテジ記憶手段のデータあるいは該データを含む装置制御プログラムの更新を行わせることを特徴とする情報記録装置制御装置。
【請求項１３】
光源から出射された光ビームを情報記録媒体に集光して情報の記録を行う情報記録装置に接続される上位装置に用いられるコンピュータ読み取り可能な情報記録媒体であって、
前記情報記録媒体にあらかじめ記録された情報記録媒体種別に関する情報を読み取る情報記録媒体種別情報再生手段と、
前記情報記録媒体の種別ごとに最適記録条件を記憶する記録ストラテジ記憶手段と、
前記情報記録媒体種別情報再生手段で読み取った情報記録媒体種別に関する情報に対応する最適記録条件が前記記録ストラテジ記憶手段に存在するときに、前記情報記録媒体種別情報再生手段で読み取った情報記録媒体種別に関する情報に対応する最適記録条件を用いて情報記録を行わせる記録ストラテジ決定手段と、
前記情報記録媒体種別情報再生手段で読み取った情報記録媒体種別に関する情報に対応する最適記録条件が前記記録ストラテジ記憶手段に存在しないときに、その旨を前記上位装置に通知する未知情報記録媒体通知手段と
を有する前記情報記録装置と接続された前記上位装置に、
前記未知情報記録媒体通知手段からの未知情報記録媒体通知に応答して、情報記録を行うべき情報記録媒体が未知情報記録媒体であることを表示手段に表示させる機能
を実現させるためのコンピュータ読み取り可能な情報記録媒体。
【請求項１４】
請求項１３記載のコンピュータ読み取り可能な情報記録媒体において、
前記情報記録装置が、前記記録ストラテジ記憶手段のデータあるいは該データを含む装置制御プログラムを書き換える記録ストラテジ更新手段を備え、
前記未知情報記録媒体通知手段からの未知情報記録媒体通知に応答して、前記記録ストラテジ記憶手段のデータあるいは該データを含む装置制御プログラムの更新を促進するメッセージを通知する機能
を実現させるためのコンピュータ読み取り可能な情報記録媒体。
【請求項１５】
請求項１３または１４記載のコンピュータ読み取り可能な情報記録媒体において、
前記情報記録装置が、前記情報記録媒体種別情報再生手段で読み取った情報記録媒体種別に関する情報に対応する最適記録条件が前記記録ストラテジ記憶手段に存在しないときに、未知情報記録媒体用の記録条件を決定して情報記録を行なうためのデフォルト記録ストラテジ決定手段を備え、
前記未知情報記録媒体通知手段からの未知情報記録媒体通知に応答して、前記情報記録媒体種別情報再生手段で読み取った情報記録媒体種別に関する情報に対応する最適記録条件が前記記録ストラテジ記憶手段に存在しないときに、未知情報記録媒体用の記録条件で記録するか、記録を禁止するかを選択する選択肢を表示させ、この選択肢の選択結果が未知情報記録媒体用の記録条件で記録する選択肢の選択であるときに、前記デフォルト記録ストラテジ決定手段を用いで記録を行なわせる機能
を実現させるためのコンピュータ読み取り可能な情報記録媒体。
【請求項１６】
請求項１４または１５記載のコンピュータ読み取り可能な情報記録媒体において、
前記未知情報記録媒体通知手段からの未知情報記録媒体通知に応答して、前記記録ストラテジ記憶手段のデータあるいは該データを含む装置制御プログラムの更新を行わせる機能
を実現させるためのコンピュータ読み取り可能な情報記録媒体。
【請求項１７】
光源から出射された光ビームを、情報記録媒体に集光して情報の記録を行う情報記録方法であって、
前記情報記録媒体にあらかじめ記録された情報記録媒体の種別に関する情報を読み取り、
読み取った情報記録媒体種別に関する情報に対応する最適記録条件が予め記憶されている場合、その読み取った情報記録媒体種別に関する情報に対応する最適記録条件を用いて情報記録を行わせ、
読み取った情報記録媒体種別に関する情報に対応する最適記録条件が予め記憶されていないときに、その旨を上位装置あるいは使用者に通知することを特徴とする情報記録方法。
【請求項１８】
請求項１７記載の情報記録方法において、
前記その旨を上位装置あるいは使用者に通知する場合、新たな最適記録条件の記憶を促進するメッセージを上位装置あるいは使用者に通知することを特徴とする情報記録方法。
【請求項１９】
光源から出射された光ビームを、情報記録媒体に集光して情報の記録を行う情報記録方法であって、
前記情報記録媒体にあらかじめ記録された情報記録媒体の種別に関する情報を読み取り、
読み取った情報記録媒体種別に関する情報に対応する最適記録条件が予め記憶されている場合、その読み取った情報記録媒体種別に関する情報に対応する最適記録条件を用いて情報記録を行わせ、
読み取った情報記録媒体種別に関する情報に対応する最適記録条件が予め記憶されていないときに、前記情報記録媒体用の記録条件を決定して情報記録を行うことを特徴とする情報記録方法。
【請求項２０】
請求項１９記載の情報記録方法において、
読み取った情報記録媒体種別に関する情報に対応する最適記録条件が予め記憶されていないときに、その旨を上位装置あるいは使用者に通知することを特徴とする情報記録方法。
【請求項２１】
請求項２０記載の情報記録方法において、
前記その旨を上位装置あるいは使用者に通知する場合、新たな最適記録条件の記憶を促進するメッセージを上位装置あるいは使用者に通知することを特徴とする情報記録方法。
【請求項２２】
請求項１９ないし２１のいずれか１つに記載の情報記録方法において、
読み取った情報記録媒体種別に関する情報に対応する最適記録条件が予め記憶されていないときに、前記情報記録媒体用の記録条件を決定して情報記録を行うか、記録を禁止するかを選択させることを特徴とする情報記録方法。
【発明の詳細な説明】
【０００１】
【発明の属する技術分野】
本発明は光ディスク装置などの情報記録装置、情報記録装置制御ソフトウエア、情報記録装置制御装置、情報記録媒体及び情報記録方法に関する。
【０００２】
【従来の技術】
特許文献１には、安定して最適条件下で光記録や光再生を行うことができるようにすることを目的としたもので、基板上に、書き込み可能の記録層を有し、この記録層にメーカが記録を行うメーカ記録エリアを有する光記録媒体であって、このメーカ記録エリアに、光記録媒体の個別的ドライブコントロール情報の記録がなされた構成とし、光記録、光再生においては、このドライブコントロール情報によって最適条件での光記録、光再生を行うものが記載されている。
【０００３】
特許文献２には、簡単なパルス制御により、十分な加熱及び冷却時間を確保でき、かつ、光源駆動部を高速化せずに所定の記録マーク長を得ることができ、高速記録可能な情報記録方法を提供することを目的としたもので、マークデータ長が２Ｔ増加する度に加熱パルスＨｍｐと冷却パルスＣｍｐとの個数を各々１個増加させることで、高速記録時であっても十分な加熱・急冷を可能とし、この際、最後尾の冷却パルスＣｅｎｄの後の消去領域先頭部分に消去パワーＰｅ１のレベルの増減変更により記録マーク長を規定する記録マーク用消去パルスＥ２又はＥ３を付加することで、マルチパルス列中の各々の加熱パルスＨｍｐのパターンを変化させる必要なく、最後尾の冷却パルスＣｅｎｄと記録マーク用消去パルスＥ２又はＥ３の第２の消去パワーＰｅ２又は第３の消去パワーＰｅ３のレベル設定との組合せのみの簡単なパルス制御で、高精度にマーク長に応じた後エッジ位置の制御を行えるようにした情報記録方法が記載されている。
【０００４】
【特許文献１】
特開２００１−２８３４４３
【特許文献２】
特開２００２−３３４４３３
【０００５】
【発明が解決しようとする課題】
一般に、情報記録装置は、情報記録媒体としてのＣＤ−Ｒ／ＲＷやＤＶＤ−Ｒ／ＲＷ，  ＤＶＤ＋Ｒ／ＲＷといった光ディスクにデータ記録を行なう場合、記録レーザから出射させる記録パルスのパワーやパルス幅といった記録条件（たとえば特許文献２記載の各パラメータ）を決める必要がある。この記録条件を記録ストラテジという。最適な記録ストラテジは、光ディスクの記録材料や基板の性質により異なり、一般には光ディスクメーカごと、さらに光ディスクの種類ごとに異なる。
【０００６】
特許文献１記載のものでは、光ディスク上にあらかじめ最適な記録ストラテジ情報を書いておき、情報記録装置がその最適な記録ストラテジ情報を参照して記録ストラテジを決定している。しかし、光ディスクに書いてある記録条件は、必ずしもすべてのメーカの情報記録装置にそのまま使えるわけではない。これは、情報記録装置のメーカごとに、レーザ波長や対物レンズ開口数（ＮＡ：Ｎｕｍｅｒｉｃａｌ  Ａｐｅｒｔｕｒｅ）といった光学系パラメータや、記録パルスの立ち上がり時間などが異なるからである。したがって、特許文献１記載のものでは、最適な記録条件での最適な記録ができない場合がある。
【０００７】
また、光ディスク上に光ディスクメーカコードと光ディスクの種別やバージョン番号などを書いておき、情報記録装置はこれらをキーとして個別に最適な記録ストラテジ情報を記憶させておく方式もある。この方式では、情報記録装置は、記録前に、現在挿入されている光ディスクのメーカやバージョン番号等の情報を光ディスクから読み込み、その読み込んだ情報を、装置内の記録ストラテジ情報テーブルにあらかじめ記憶させてある記録ストラテジ情報から検索してヒットすればそれに対応した記録ストラテジを決定する。
【０００８】
この方式では、情報記録装置（メーカ）と光ディスクにとって最適なストラテジを決定できる。しかしながら、情報記録装置内の記録ストラテジ情報テーブルに記録ストラテジ情報が存在しない光ディスク（記録ストラテジ情報の未知な光ディスク）に対しては、最適記録ストラテジを設定できない。したがって、この方式も、最適な記録条件での最適な記録ができない場合がある。
【０００９】
本発明は、どのような情報記録媒体でもできる限り最適な記録条件で記録でき、記録データ品質を良好に保つことができる情報記録装置及び情報記録方法を提供することを目的とする。
さらに、本発明は、どのような情報記録媒体でもできる限り最適な記録条件で記録でき、記録データ品質を良好に保つように情報記録装置を制御することができる情報記録装置制御ソフトウエア、情報記録装置制御装置及び記録媒体を提供することを目的とする。
【００１０】
【課題を解決するための手段】
上記目的を達成するため、請求項１に係る発明は、光源から出射された光ビームを、情報記録媒体に集光して情報の記録を行う情報記録装置であって、前記情報記録媒体にあらかじめ記録された情報記録媒体の種別に関する情報を読み取る情報記録媒体種別情報再生手段と、前記情報記録媒体の種別ごとに最適記録条件を記憶する記録ストラテジ記憶手段と、前記情報記録媒体種別情報再生手段で読み取った情報記録媒体種別に関する情報に対応する最適記録条件が前記記録ストラテジ記憶手段に存在するときに、前記情報記録媒体種別情報再生手段で読み取った情報記録媒体種別に関する情報に対応する最適記録条件を用いて情報記録を行わせる記録ストラテジ決定手段と、前記情報記録媒体種別情報再生手段で読み取った情報記録媒体種別に関する情報に対応する最適記録条件が前記記録ストラテジ記憶手段に存在しないときに、その旨を上位装置あるいは使用者に通知する未知情報記録媒体通知手段とを設けたものである。
【００１１】
請求項２に係る発明は、請求項１記載の情報記録装置において、前記記録ストラテジ記憶手段のデータあるいは該データを含む装置制御プログラムを書き換える記録ストラテジ更新手段を備え、前記未知情報記録媒体通知手段は前記記録ストラテジ記憶手段のデータあるいは該データを含む装置制御プログラムの更新を促進するメッセージを通知するものである。
【００１２】
請求項３に係る発明は、請求項１または２記載の情報記録装置において、前記情報記録媒体種別情報再生手段で読み取った情報記録媒体種別に関する情報に対応する最適記録条件が前記記録ストラテジ記憶手段に存在しないときに、未知情報記録媒体用の記録条件を決定して情報記録を行わせるデフォルト記録ストラテジ決定手段を設けたものである。
【００１３】
請求項４に係る発明は、請求項３記載の情報記録装置において、前記情報記録媒体種別情報再生手段で読み取った情報記録媒体種別に関する情報に対応する最適記録条件が前記記録ストラテジ記憶手段に存在しないときに、前記未知情報記録媒体用の記録条件で記録するか、記録を禁止するかを選択する選択手段を設けたものである。
【００１４】
請求項５に係る発明は、光源から出射された光ビームを情報記録媒体に集光して情報の記録を行う情報記録装置に接続される上位装置の情報記録装置制御ソフトウエアであって、前記情報記録媒体にあらかじめ記録された情報記録媒体種別に関する情報を読み取る情報記録媒体種別情報再生手段と、前記情報記録媒体の種別ごとに最適記録条件を記憶する記録ストラテジ記憶手段と、前記情報記録媒体種別情報再生手段で読み取った情報記録媒体種別に関する情報に対応する最適記録条件が前記記録ストラテジ記憶手段に存在するときに、前記情報記録媒体種別情報再生手段で読み取った情報記録媒体種別に関する情報に対応する最適記録条件を用いて情報記録を行わせる記録ストラテジ決定手段と、前記情報記録媒体種別情報再生手段で読み取った情報記録媒体種別に関する情報に対応する最適記録条件が前記記録ストラテジ記憶手段に存在しないときに、その旨を前記上位装置に通知する未知情報記録媒体通知手段とを有する前記情報記録装置と接続された前記上位装置を動作させ、前記未知情報記録媒体通知手段からの未知情報記録媒体通知に応答して、情報記録を行うべき情報記録媒体が未知情報記録媒体であることを表示手段に表示させることを前記上位装置に行わせることを特徴とする。
【００１５】
請求項６に係る発明は、請求項５記載の情報記録装置制御ソフトウエアにおいて、前記情報記録装置が、前記記録ストラテジ記憶手段のデータあるいは該データを含む装置制御プログラムを書き換える記録ストラテジ更新手段を備え、前記未知情報記録媒体通知手段からの未知情報記録媒体通知に応答して、前記記録ストラテジ記憶手段のデータあるいは該データを含む装置制御プログラムの更新を促進するメッセージを通知することを前記上位装置に行わせることを特徴とする。
【００１６】
請求項７に係る発明は、請求項５または６記載の情報記録装置制御ソフトウエアにおいて、前記情報記録装置が、前記情報記録媒体種別情報再生手段で読み取った情報記録媒体種別に関する情報に対応する最適記録条件が前記記録ストラテジ記憶手段に存在しないときに、未知情報記録媒体用の記録条件を決定して情報記録を行なうためのデフォルト記録ストラテジ決定手段を備え、前記未知情報記録媒体通知手段からの未知情報記録媒体通知に応答して、前記情報記録媒体種別情報再生手段で読み取った情報記録媒体種別に関する情報に対応する最適記録条件が前記記録ストラテジ記憶手段に存在しないときに、未知情報記録媒体用の記録条件で記録するか、記録を禁止するかを選択する選択肢を表示させ、この選択肢の選択結果が未知情報記録媒体用の記録条件で記録する選択肢の選択であるときに、前記デフォルト記録ストラテジ決定手段を用いで記録を行なわせることを前記上位装置に行わせることを特徴とする。
【００１７】
請求項８に係る発明は、請求項６または７記載の情報記録装置制御ソフトウエアにおいて、前記未知情報記録媒体通知手段からの未知情報記録媒体通知に応答して、前記記録ストラテジ記憶手段のデータあるいは該データを含む装置制御プログラムの更新を行わせることを前記上位装置に行わせることを特徴とする。
【００１８】
請求項９に係る発明は、光源から出射された光ビームを情報記録媒体に集光して情報の記録を行う情報記録装置に接続される情報記録装置制御装置であって、前記情報記録媒体にあらかじめ記録された情報記録媒体種別に関する情報を読み取る情報記録媒体種別情報再生手段と、前記情報記録媒体の種別ごとに最適記録条件を記憶する記録ストラテジ記憶手段と、前記情報記録媒体種別情報再生手段で読み取った情報記録媒体種別に関する情報に対応する最適記録条件が前記記録ストラテジ記憶手段に存在するときに、前記情報記録媒体種別情報再生手段で読み取った情報記録媒体種別に関する情報に対応する最適記録条件を用いて情報記録を行わせる記録ストラテジ決定手段と、前記情報記録媒体種別情報再生手段で読み取った情報記録媒体種別に関する情報に対応する最適記録条件が前記記録ストラテジ記憶手段に存在しないときに、その旨を前記上位装置に通知する未知情報記録媒体通知手段とを有する前記情報記録装置と接続され、前記未知情報記録媒体通知手段からの未知情報記録媒体通知に応答して、情報記録を行うべき情報記録媒体が未知情報記録媒体であることを表示させる表示手段を備えたものである。
【００１９】
請求項１０に係る発明は、請求項９記載の情報記録装置制御装置において、前記情報記録装置が、前記記録ストラテジ記憶手段のデータあるいは該データを含む装置制御プログラムを書き換える記録ストラテジ更新手段を備え、前記未知情報記録媒体通知手段からの未知情報記録媒体通知に応答して、前記記録ストラテジ記憶手段のデータあるいは該データを含む装置制御プログラムの更新を促進するメッセージを通知する手段を備えたものである。
【００２０】
請求項１１に係る発明は、請求項９または１０記載の情報記録装置制御装置において、前記情報記録装置が、前記情報記録媒体種別情報再生手段で読み取った情報記録媒体種別に関する情報に対応する最適記録条件が前記記録ストラテジ記憶手段に存在しないときに、未知情報記録媒体用の記録条件を決定して情報記録を行なうためのデフォルト記録ストラテジ決定手段を備え、前記未知情報記録媒体通知手段からの未知情報記録媒体通知に応答して、前記情報記録媒体種別情報再生手段で読み取った情報記録媒体種別に関する情報に対応する最適記録条件が前記記録ストラテジ記憶手段に存在しないときに、未知情報記録媒体用の記録条件で記録するか、記録を禁止するかを選択する選択肢を表示する表示手段と、前記選択肢の選択結果が未知情報記録媒体用の記録条件で記録する選択肢の選択であるときに、前記デフォルト記録ストラテジ決定手段を用いで記録を行なわせる手段とを備えたものである。
【００２１】
請求項１２に係る発明は、請求項１０または１１記載の情報記録装置制御装置において、前記未知情報記録媒体通知手段からの未知情報記録媒体通知に応答して、前記記録ストラテジ記憶手段のデータあるいは該データを含む装置制御プログラムの更新を行わせるものである。
【００２２】
請求項１３に係る発明は、光源から出射された光ビームを情報記録媒体に集光して情報の記録を行う情報記録装置に接続される上位装置に用いられるコンピュータ読み取り可能な情報記録媒体であって、前記情報記録媒体にあらかじめ記録された情報記録媒体種別に関する情報を読み取る情報記録媒体種別情報再生手段と、前記情報記録媒体の種別ごとに最適記録条件を記憶する記録ストラテジ記憶手段と、前記情報記録媒体種別情報再生手段で読み取った情報記録媒体種別に関する情報に対応する最適記録条件が前記記録ストラテジ記憶手段に存在するときに、前記情報記録媒体種別情報再生手段で読み取った情報記録媒体種別に関する情報に対応する最適記録条件を用いて情報記録を行わせる記録ストラテジ決定手段と、前記情報記録媒体種別情報再生手段で読み取った情報記録媒体種別に関する情報に対応する最適記録条件が前記記録ストラテジ記憶手段に存在しないときに、その旨を前記上位装置に通知する未知情報記録媒体通知手段とを有する前記情報記録装置と接続された前記上位装置に、前記未知情報記録媒体通知手段からの未知情報記録媒体通知に応答して、情報記録を行うべき情報記録媒体が未知情報記録媒体であることを表示手段に表示させる機能を実現させるためのものである。
【００２３】
請求項１４に係る発明は、請求項１３記載のコンピュータ読み取り可能な情報記録媒体において、前記情報記録装置が、前記記録ストラテジ記憶手段のデータあるいは該データを含む装置制御プログラムを書き換える記録ストラテジ更新手段を備え、前記未知情報記録媒体通知手段からの未知情報記録媒体通知に応答して、前記記録ストラテジ記憶手段のデータあるいは該データを含む装置制御プログラムの更新を促進するメッセージを通知する機能を実現させるためのものである。
【００２４】
請求項１５に係る発明は、請求項１３または１４記載のコンピュータ読み取り可能な情報記録媒体において、前記情報記録装置が、前記情報記録媒体種別情報再生手段で読み取った情報記録媒体種別に関する情報に対応する最適記録条件が前記記録ストラテジ記憶手段に存在しないときに、未知情報記録媒体用の記録条件を決定して情報記録を行なうためのデフォルト記録ストラテジ決定手段を備え、前記未知情報記録媒体通知手段からの未知情報記録媒体通知に応答して、前記情報記録媒体種別情報再生手段で読み取った情報記録媒体種別に関する情報に対応する最適記録条件が前記記録ストラテジ記憶手段に存在しないときに、未知情報記録媒体用の記録条件で記録するか、記録を禁止するかを選択する選択肢を表示させ、この選択肢の選択結果が未知情報記録媒体用の記録条件で記録する選択肢の選択であるときに、前記デフォルト記録ストラテジ決定手段を用いで記録を行なわせる機能を実現させるためのものである。
【００２５】
請求項１６に係る発明は、請求項１４または１５記載のコンピュータ読み取り可能な情報記録媒体において、前記未知情報記録媒体通知手段からの未知情報記録媒体通知に応答して、前記記録ストラテジ記憶手段のデータあるいは該データを含む装置制御プログラムの更新を行わせる機能を実現させるためのものである。
【００２６】
請求項１７に係る発明は、光源から出射された光ビームを、情報記録媒体に集光して情報の記録を行う情報記録方法であって、前記情報記録媒体にあらかじめ記録された情報記録媒体の種別に関する情報を読み取り、読み取った情報記録媒体種別に関する情報に対応する最適記録条件が予め記憶されている場合、その読み取った情報記録媒体種別に関する情報に対応する最適記録条件を用いて情報記録を行わせ、読み取った情報記録媒体種別に関する情報に対応する最適記録条件が予め記憶されていないときに、その旨を上位装置あるいは使用者に通知することを特徴とする。
【００２７】
請求項１８に係る発明は、請求項１７記載の情報記録方法において、前記その旨を上位装置あるいは使用者に通知する場合、新たな最適記録条件の記憶を促進するメッセージを上位装置あるいは使用者に通知することを特徴とする。
【００２８】
請求項１９に係る発明は、光源から出射された光ビームを、情報記録媒体に集光して情報の記録を行う情報記録方法であって、前記情報記録媒体にあらかじめ記録された情報記録媒体の種別に関する情報を読み取り、読み取った情報記録媒体種別に関する情報に対応する最適記録条件が予め記憶されている場合、その読み取った情報記録媒体種別に関する情報に対応する最適記録条件を用いて情報記録を行わせ、読み取った情報記録媒体種別に関する情報に対応する最適記録条件が予め記憶されていないときに、前記情報記録媒体用の記録条件を決定して情報記録を行うことを特徴とする。
【００２９】
請求項２０に係る発明は、請求項１９記載の情報記録方法において、読み取った情報記録媒体種別に関する情報に対応する最適記録条件が予め記憶されていないときに、その旨を上位装置あるいは使用者に通知することを特徴とする。
【００３０】
請求項２１に係る発明は、請求項２０記載の情報記録方法において、前記その旨を上位装置あるいは使用者に通知する場合、新たな最適記録条件の記憶を促進するメッセージを上位装置あるいは使用者に通知することを特徴とする。
【００３１】
請求項２２に係る発明は、請求項１９ないし２１のいずれか１つに記載の情報記録方法において、読み取った情報記録媒体種別に関する情報に対応する最適記録条件が予め記憶されていないときに、前記情報記録媒体用の記録条件を決定して情報記録を行うか、記録を禁止するかを選択させる。
【００３２】
【発明の実施の形態】
図１は本発明の実施形態１及びその上位装置を示す。この実施形態１は、情報記録媒体としてのＣＤ−ＲやＤＶＤ−Ｒ，ＤＶＤ＋Ｒというような光ディスクに情報を記録する情報記録装置としての光ディスク記録装置の一形態である。
図１において、１００は情報記録媒体としての光ディスク１０１を回転させる回転モータである。１０２は光源１０３からの記録レベルまたは再生レベルの光ビームを光ディスク１０１の記録面に集光させて光ディスク１０１に情報を記録したり光ディスク１０１からの反射光を再生信号に変換して光ディスク１０１から情報を再生したりする光学系である。光学系１０２と光源１０３は、ピックアップと呼ばれる光ヘッド（図示せず）上に配置され、光ディスク１０１上の任意の位置に移動可能である。
【００３３】
光源１０３は、一般的には半導体レーザが用いられ、レーザ駆動手段１０４により駆動されて発光する。光源１０３の発光は、光ディスク１０１からデータを読み取る読み取り時には一定パワーであるが、光ディスク１０１にデータを書き込むデータ書き込み時にはパルス変調される。光源１０３からのパルス変調された記録パルスは例えば図３に示すようになる。図３において、ｌａｓｅｒ  ｐｕｌｓｅは光源１０３から出射される記録パルス、Ｐｗは記録パルスの記録レベル、Ｐｂは記録パルスのバイアスレベルである。
【００３４】
上位装置１０５からの記録データ（Ｗｒｉｔｅ  ｄａｔａ）は、所定のチャンネルビット長Ｔを単位として、ＣＤやＤＶＤといった光ディスク１０１ではたとえば３Ｔから１１Ｔまで変化する。光源１０３からの記録パルスはＷｒｉｔｅ  ｄａｔａの「１」（記録マーク）部をさらに細かく分割した分割パルスになる。
【００３５】
この記録マーク内の分割パルスはマルチパルスと呼ばれ、その先頭パルスは光ディスク１０１における記録層の温度を急激に上げて該記録層の溶融を促すためにやや長めのパルスにする場合が多い。この先頭パルスのパルス幅をＴｔｏｐと定義する。記録マーク内の分割パルスは４ＴめからＴ単位のマルチパルスとなり、４Ｔめからの分割パルスの各パルス幅をＴｍｐと定義する。このようなパルスパラメータを決定することをパルスストラテジ、あるいは記録ストラテジという。
【００３６】
記録ストラテジ（単にストラテジともいう）設定手段１０６は、制御手段としてのコントローラ１０９からの指令により、レーザ駆動手段１０４の記録ストラテジ設定を行なう。記録ストラテジは例えば図４に示す記録ストラテジテーブルのように、光ディスク１０１の種類（Ｍｅｄｉａ  Ｔｙｐｅ  ＩＤ）ごとに決められる。なお、図４において、Ｍａｎｕｆａｃｔｕｒｅｒ  ＩＤは光ディスク１０１のメーカ（製造者）を示す光ディスク１０１メーカ固有の情報（ＩＤ情報）である。記録ストラテジは、あるメディアではＴｔｏｐ＝２．０Ｔ、Ｔｍｐ＝０．８７Ｔであり、別のメディアではＴｔｏｐ，Ｔｍｐが別の値に設定される。
【００３７】
１０８は光ディスク１０１の種類（種別）を判別する情報記録媒体種類判別手段としての光ディスク種類判別手段である。この光ディスク種類判別手段１０８は、当該光ディスク記録装置に光ディスク１０１が装着された時に、光学系１０２からの再生信号より光ディスク１０１にあらかじめ刻まれている光ディスク種別情報（光ディスク１０１のメーカを示す情報Ｍａｎｕｆａｃｔｕｒｅｒ  ＩＤや光ディスク１０１の種別を示す情報Ｍａｄｉａ  ＴｙｐｅＩＤ）を解読してコントローラ１０９に送る。従って、光学系１０２及び光ディスク種類判別手段１０８は、光ディスク１０１にあらかじめ記録された光ディスク種別に関する情報（光ディスクの種別を示す情報）を読み取る情報記録媒体種別情報再生手段を構成している。
【００３８】
コントローラ１０９は、一般にはマイクロコンピュータが用いられ、ＣＰＵがプログラムＲＯＭに格納されているプログラムを実行することで、当該装置全体の制御を行なうとともに、光ディスク種類判別手段１０８からの光ディスク種別情報に基づいて記録ストラテジを決定し、この決定した記録ストラテジを記録ストラテジ設定手段１０６に設定する。レーザ駆動手段１０４は記録ストラテジ設定手段１０６の設定した記録ストラテジで上位装置１０５からの記録データにより光源１０３を駆動する。従って、コントローラ１０９及び記録ストラテジ設定手段１０６は、光学系１０２及び光ディスク種類判別手段１０８で読み取った光ディスク１０１の種別に関する情報に対応する最適記録ストラテジが記録ストラテジ記憶手段１１１に存在するときに、光学系１０２及び光ディスク種類判別手段１０８で読み取った光ディスク１０１の種別に関する情報に対応する最適記録ストラテジを用いて情報記録を行わせる記録ストラテジ決定手段を構成する。
【００３９】
１１１は記録ストラテジを記憶した記録ストラテジテーブルを有する記録ストラテジ記憶手段である。この記録ストラテジ記憶手段１１１は、実体としてはＦｌａｓｈ  ＲＯＭなどの不揮発メモリが用いられている。記録ストラテジ記憶手段１１１の記憶内容は例えば図４に示すようになっている。すなわち、記録ストラテジ記憶手段１１１には、光ディスク１０１のメーカを示す情報Ｍａｎｕｆａｃｔｕｒｅｒ  ＩＤや光ディスク１０１の種別を示す情報Ｍａｄｉａ  Ｔｙｐｅ  ＩＤごとに、最適記録ストラテジとして光ディスク１０１に最適なＴｔｏｐと最適なＴｍｐを格納してある。図４は記録ストラテジ記憶手段１１１の記憶内容の一例であり、記録ストラテジ記憶手段１１１にはより多くのパルスパラメータや記録パワーに関する情報も格納してよいし、光ディスク１０１識別用の情報もより多くの種類を格納してもよい。
【００４０】
図４に示す記録ストラテジテーブルの最適記録ストラテジは、ＡというメーカのＴｙｐｅ＝０１という種類の光ディスク１０１では（Ｔｔｏｐ，Ｔｍｐ）＝（２．０Ｔ，  ０．８７Ｔ）であり、同じメーカでもＴｙｐｅ＝０２という光ディスク１０１では（Ｔｔｏｐ，Ｔｍｐ）＝（２．１Ｔ，  ０．７４Ｔ）が最適な記録ストラテジパラメータとして格納してある。図４に示す記録ストラテジテーブルの最後にはデフォルト（Ｄｅｆａｕｌｔ）という名前を付けた記録ストラテジが記憶されているが、これは当該装置に装着された光ディスク１０１の光ディスク種別情報が、記録ストラテジテーブルに格納されている光ディスク１０１のメーカを示す情報Ｍａｎｕｆａｃｔｕｒｅｒ  ＩＤや光ディスク１０１の種別を示す情報Ｍａｄｉａ  Ｔｙｐｅ  ＩＤに合致しないときに参照されるパラメータである。
【００４１】
１０７は記録ストラテジ記憶手段１１１の内容を書き換える記録ストラテジ更新手段である。この記録ストラテジ更新手段１０７は、実体としてはコントローラ１０９のソフトウエアの一部としてプログラムＲＯＭ中に格納されてコントローラ１０９のＣＰＵにより実行される。記録ストラテジ更新手段１０７による動作としては図８に示すように、上位装置１０５から更新するべき新たな記録ストラテジデータを受信し、その受信した記録ストラテジデータで記録ストラテジ記憶手段１１１の記録ストラテジテーブルを更新する。このような記録ストラテジ更新を適宜に行なうことで、最適な記録ストラテジの設定対象となる光ディスク１０１を増やすことができ、光ディスク１０１のメーカが多くなっても対応させることができる。
【００４２】
１１２は適宜メッセージをユーザに表示することができる表示手段である。上位装置１０５はレーザ駆動手段１０４に記録データを送出したり、必要に応じて新規な記録ストラテジデータを記録ストラテジ更新手段１０７に送出したりする。また、上位装置１０５のＣＰＵはコントローラ１０９からの通知に基づいて表示手段１１２にメッセージを表示させる。１１０はコントローラ１０９のＣＰＵが実行する制御プログラムを記憶している制御プログラム記憶手段である。
【００４３】
コントローラ１０９のＣＰＵは、記録前に光ディスク種類判別手段１０８からの光ディスク種別情報に基づいて、当該装置に装着されている光ディスク１０１に対応した記録ストラテジパラメータを、記録ストラテジ記憶手段１１１に格納されている記録ストラテジテーブルから検索して該光ディスク種別情報に対応した最適記録ストラテジを記録ストラテジ設定手段１０６に設定するが、当該装置に装着されている光ディスク１０１に対応した最適記録ストラテジパラメータが記録ストラテジテーブルに格納されていない場合には当該装置に装着されている光ディスク１０１が記録ストラテジの未知な光ディスクであることを上位装置１０５に通知する。従って、コントローラ１０９は、当該装置に装着されている光ディスク１０１に対応した記録ストラテジパラメータが記録ストラテジテーブルに格納されていないときに、その旨を上位装置１０５あるいは使用者に通知する未知情報記録媒体通知手段を構成する。
【００４４】
上位装置１０５のＣＰＵは、当該装置に装着されている光ディスク１０１が記録ストラテジの未知な光ディスクであるという未知光ディスク通知を受け取ると、表示手段１１２に当該装置に装着されている光ディスク１０１が記録ストラテジの未知な光ディスクであることを「未知メディアです。」といったメッセージで表示させる。
【００４５】
図２は本発明の実施形態２及びその上位装置を示す。この実施形態２において、上記実施形態１と違うのは表示手段１１２がコントローラ１０９から直接メッセージを受け取るようになっているところである。この実施形態２でも、コントローラ１０９のＣＰＵは、記録前に光ディスク種類判別手段１０８からの光ディスク種別情報に基づいて、当該装置に装着されている光ディスク１０１に対応した最適記録ストラテジパラメータを、記録ストラテジ記憶手段１１１に格納されている記録ストラテジテーブルから検索して記録ストラテジ設定手段１０６に設定するが、当該装置に装着されている光ディスク１０１に対応した最適記録ストラテジパラメータが記録ストラテジテーブルに格納されていない場合には表示手段１１２に、当該装置に装着されている光ディスク１０１が記録ストラテジの未知な光ディスクであることを「未知メディアです。」といったメッセージで表示させる。
【００４６】
図５は上記実施形態１、２のより詳しい動作を、コントローラ１０９のアルゴリズムとして記述したものである。この動作は、コントローラ１０９のＣＰＵにより実行され、当該装置に装着されている光ディスク１０１にデータを記録しようとする前に行なわれる。
図５に示すように、ステップ２０１で、光ディスク種類判別手段１０８は光学系１０２からの再生信号より現在当該光ディスク記録装置に装着されている光ディスク１０１にあらかじめ刻まれている光ディスク種別情報（光ディスク１０１のメーカを示す情報Ｍａｎｕｆａｃｔｕｒｅｒ  ＩＤや光ディスク１０１の種別を示す情報Ｍａｄｉａ  ＴｙｐｅＩＤ）を解読してコントローラ１０９に送り、コントローラ１０９のＣＰＵは現在当該装置に装着されている光ディスク１０１に記録されている光ディスク種別情報（光ディスク１０１のメーカを示す情報Ｍａｎｕｆａｃｔｕｒｅｒ  ＩＤや光ディスク１０１の種別を示す情報Ｍａｄｉａ  ＴｙｐｅＩＤ）を光ディスク種類判別手段１０８から読み込み、この光ディスク種別情報を、記録ストラテジ記憶手段１１１に格納されている記録ストラテジテーブルから検索する。
【００４７】
コントローラ１０９のＣＰＵは、ステップ２０１で、光ディスク種類判別手段１０８からの光ディスク種別情報（光ディスク１０１のメーカを示す情報Ｍａｎｕｆａｃｔｕｒｅｒ  ＩＤや光ディスク１０１の種別を示す情報Ｍａｄｉａ  ＴｙｐｅＩＤ）が記録ストラテジテーブル中に見つかった場合にはステップ２０３へ進み、光ディスク種類判別手段１０８からの光ディスク種別情報が記録ストラテジテーブルから見つからなかった場合にはステップ２０５へ進む。
【００４８】
コントローラ１０９のＣＰＵは、ステップ２０３では、記録ストラテジテーブル中に光ディスク種類判別手段１０８からの光ディスク種別情報が存在したので、記録ストラテジテーブル中における光ディスク種類判別手段１０８からの光ディスク種別情報に対応する最適な記録ストラテジパラメータを記録ストラテジ設定手段１０６に設定する。ステップ２０４では、レーザ駆動手段１０４が記録ストラテジ設定手段１０６の設定した記録ストラテジで上位装置１０５からの記録データにより光源１０３を駆動し、光ディスク１０１に実際に記録データの記録を行なう。
【００４９】
ステップ２０５では、コントローラ１０９のＣＰＵは、記録ストラテジテーブル中に光ディスク種類判別手段１０８からの光ディスク種別情報に対応する最適記録ストラテジが存在しないので、現在当該装置に装着されている光ディスク１０１が最適記録ストラテジの未知なメディア（最適な記録ストラテジを設定できない光ディスク）ということになる。そこで、コントローラ１０９のＣＰＵは、上位装置１０５のＣＰＵを介してまたは直接に表示手段１１２に、当該装置に装着されている光ディスク１０１が記録ストラテジの未知な光ディスクであることを「未知メディアです。記録ストラテジパラメータを更新してください。」といったメッセージで表示させる。この場合、コントローラ１０９のＣＰＵはレーザ駆動手段１０４などを制御して実際のデータ記録を行なわせない。
【００５０】
ステップ２０５は、上記実施形態２ではコントローラ１０９のＣＰＵが直接表示手段１１２にメッセージを表示させているが、上記実施形態１ではコントローラ１０９のＣＰＵが一旦上位装置１０５のＣＰＵに当該装置に装着されている光ディスク１０１が記録ストラテジの未知な光ディスクである旨を通知（たとえば適切なエラーコードを送出）し、上位装置１０５のＣＰＵがその通知を受けて表示手段１１２に、当該装置に装着されている光ディスク１０１が記録ストラテジの未知な光ディスクであることを「未知メディアです。記録ストラテジパラメータを更新してください。」といったメッセージで表示させる。
【００５１】
なお、上述の「記録ストラテジパラメータを更新してください。」という表示や通知は必須でない。単に当該装置に装着されている光ディスク１０１が記録ストラテジの未知な光ディスクである旨をコントローラ１０９のＣＰＵが上位装置１０５に通知あるいは表示手段１１２に表示させるだけでもよい。
【００５２】
上記実施形態１、２では、当該装置に装着されている光ディスク１０１が記録ストラテジの未知なメディアである旨を表示してデータ記録を行なわないことにより、最適でない記録ストラテジパラメータで光ディスク１０１にデータを記録することがなく、データ記録品質が悪い状態でデータを記録するのを回避することができる。記録品質が悪い状態でデータを記録すると、そのデータの読み出しができないだけでなく、そのデータがディレクトリ情報のような索引データの場合にはそれ以前に光ディスク１０１に書いたファイルも光ディスク１０１から読み出すことができなくなるのでよくない。
【００５３】
さらに、コントローラ１０９のＣＰＵが「記録ストラテジパラメータを更新してください。」と上位装置１０５のＣＰＵに通知あるいは表示手段１１２に表示させることにより、ユーザは適切な記録ストラテジパラメータを光ディスク記録装置のメーカから入手して更新することができる。記録ストラテジパラメータを更新することにより、光ディスク１０１の最適記録ストラテジが記録ストラテジ記憶手段１１１にサポートされていれば、最適記録ストラテジでデータを光ディスク１０１に記録することができる。
【００５４】
記録ストラテジの更新すべきデータは、たとえばインターネットのメーカＷｅｂサイトに定期的にアップされる。これをユーザが自由にダウンロードして、自分のＰＣ（ここでは上位装置１０５に該当）のＣＰＵから光ディスク記録装置（の記録ストラテジ更新手段１０７）に送出することができる。この場合、図８に示すように、記録ストラテジ更新手段１０７は、上位装置１０５のＣＰＵから記録ストラテジの更新すべきデータを受信し、このデータで記録ストラテジ記憶手段１１１の内容を更新する（その受信したデータで光ディスク１０１の種別が同じ記録ストラテジ記憶手段１１１内の記録ストラテジデータを更新する）。
【００５５】
また、記録ストラテジ記憶手段１１１の内容を更新するのは記録ストラテジデータだけでなく、その更新を制御する装置制御プログラムそのものも更新してもよい。この場合、新たな記録ストラテジパラメータを定義して追加したりでき、より最適な記録ストラテジパラメータを設定できるようになる。コントローラ１０９のＣＰＵは、上位装置１０５のＣＰＵを介してまたは直接に表示手段１１２に、当該装置に装着されている光ディスク１０１が記録ストラテジの未知な光ディスクであることを「未知メディアです。記録ストラテジパラメータあるいは記録ストラテジパラメータを含む記録ストラテジ更新用装置制御プログラムを更新してください。」といったメッセージで表示させる。
【００５６】
図９に示すように、記録ストラテジ更新手段１０７は、上位装置１０５のＣＰＵから記録ストラテジの更新すべきデータと装置制御プログラムを受信し、そのデータで記録ストラテジ記憶手段１１１の内容を更新し（その受信したデータで光ディスク１０１の種別が同じ記録ストラテジ記憶手段１１１内の記録ストラテジデータを更新し）またはその受信したデータ（新しいデータ）を記録ストラテジ記憶手段１１１に追加するとともに、記録ストラテジ記憶手段１１１の内容を更新する装置制御プログラムを上記受信した装置制御プログラムで更新する。従って、記録ストラテジ更新手段１０７は、記録ストラテジ記憶手段１１１のデータあるいは該データを含む装置制御プログラムを書き換える記録ストラテジ更新手段を構成する。
【００５７】
図６は本発明の実施形態３、４のより詳しい動作を、コントローラ１０９のアルゴリズムとして記述したものであり、この動作はコントローラ１０９のＣＰＵにより実行される。この実施形態３、４では、上記実施形態１、２において、図５に示す動作の代りに図６に示す動作を行う。図６では、図５に対してステップ２０５の後にステップ２０６が追加されている。
【００５８】
このステップ２０６では、コントローラ１０９のＣＰＵは、当該装置に装着されている光ディスク１０１が記録ストラテジの未知な光ディスクであるので、記録ストラテジ記憶手段１１１内の記録ストラテジテーブルの「デフォルト（Ｄｅｆａｕｌｔ）」の名前に対応する記録ストラテジパラメータを記録ストラテジ設定手段１０６に設定する。レーザ駆動手段１０４は記録ストラテジ設定手段１０６の設定した記録ストラテジで上位装置１０５からの記録データにより光源１０３を駆動し、光ディスク１０１に実際に記録データの記録を行なう。従って、コントローラ１０９は、光ディスク種類判別手段１０８からの光ディスク種別情報に対応する最適記録ストラテジが記録ストラテジ記憶手段１１１に存在しないときに、未知光ディスク用の記録ストラテジ（Ｄｅｆａｕｌｔの名前に対応する記録ストラテジパラメータ）を決定して記録を行わせるデフォルト記録ストラテジ決定手段を構成する。
【００５９】
「Ｄｅｆａｕｌｔ」に対応する記録ストラテジパラメータは、必ずしも最適な記録ストラテジではないが、光ディスク１０１に記録したデータの読み出しには支障がない程度の品質でどんなメディアにも記録できるような記録ストラテジパラメータになっている。このような記録ストラテジパラメータは、たとえば、多くの種類のメディアの最適な記録ストラテジパラメータを平均したパラメータとすることで求めることができる。
【００６０】
この実施形態３、４では、ユーザは当該装置に装着されている光ディスク１０１が記録ストラテジの未知なメディアであると認識でき、記録ストラテジパラメータも更新しようと思うであろうが、とりあえず現在当該装置に装着されているメディアにはすぐデータを記録できるので、時間を余分に使わなくて済み、記録品質は最適ではないが、致命的に悪くはない。
【００６１】
図７は本発明の実施形態５、６のより詳しい動作を、コントローラ１０９のアルゴリズムとして記述したものであり、この動作はコントローラ１０９のＣＰＵにより実行される。この実施形態５、６では、上記実施形態２、３において、図６に示す動作の代りに図７に示す動作を行う。図７では、図６に対してステップ２０５の代りにステップ２０７，２０８が設けられている。
【００６２】
ステップ２０７では、コントローラ１０９のＣＰＵは、上位装置１０５のＣＰＵを介してまたは直接に表示手段１１２に、当該装置に装着されている光ディスク１０１が記録ストラテジの未知な光ディスクであるときのメッセージとして、「未知メディアです。デフォルト記録ストラテジで記録しますか？」といったメッセージで表示させ、デフォルト記録ストラテジで記録するかどうかをユーザに尋ねる。
【００６３】
ステップ２０８では、コントローラ１０９のＣＰＵは、上位装置１０５または表示手段１１２に設けられている入力装置からの入力信号をチェックして、該入力装置によりユーザがデフォルト記録ストラテジで記録する選択肢と、データを記録しない選択肢とのいずれを選択したかを判断し、ユーザがデフォルト記録ストラテジで記録することを選択した場合にステップ２０６に進む。上記入力装置は、光ディスク種類判別手段１０８からの光ディスク種別情報に対応する最適記録ストラテジが記録ストラテジ記憶手段１１１に存在しないときに、未知光ディスク用の記録ストラテジ（デフォルト記録ストラテジ）で記録するか、データ記録を禁止するかを選択する選択手段を構成する。
【００６４】
この実施形態５、６では、光ディスク種類判別手段１０８からの光ディスク種別情報に対応する最適記録ストラテジが記録ストラテジ記憶手段１１１に存在しないときに記録ストラテジパラメータを更新してから記録するか、あるいはとりあえずすぐにデフォルト記録ストラテジで記録するかを選択することができる。これはユーザの記録品質に対する考え方や、時間の使い方などに対応して適宜選ぶことが可能になる。
【００６５】
図１０は本発明の実施形態７及びその下位の情報記録装置を示す。この実施形態７及びその下位の情報記録装置では、上記実施形態１及びその上位装置とは以下に述べる点が異なる。
上位装置１０５は、実体としては一般にはパーソナルコンピュータ（以下ＰＣという）のような計算機で、ＣＰＵとメモリ、キーボードやマウスのような入力装置、および表示装置（上記表示手段１１２）や上記実施形態１の光ディスク記録装置とのインターフェース回路などを備えている。具体的にＰＣ１０５のＣＰＵを動作させるのはＰＣ１０５内の記録媒体に格納されているソフトウエア１１３である。
【００６６】
ＰＣ１０５は、ＣＰＵがソフトウエア１１３を実行することで、適宜インターフェースを介して上記実施形態１の光ディスク記録装置（ドライブ装置）に記録データを送出したり、コントローラ１０９からの未知メディアであることの通知を受け取ったり、その通知に応じて表示装置１１２にメッセージやユーザ選択肢を表示させたり、ユーザからの選択入力に応じて上記実施形態１の光ディスク記録装置に指令を出したり、上記実施形態１の光ディスク記録装置内の記録ストラテジデータや制御プログラムを更新するデータを送出したりする。
【００６７】
図１１は本実施形態７のＰＣ１０５より下位の情報記録装置におけるコントローラ１０９のより詳しい動作を、コントローラ１０９のアルゴリズムとして記述したものである。この動作は、コントローラ１０９のＣＰＵにより実行され、情報記録装置に装着されているメディアにデータを記録しようとする前に行なわれる。図１１では、図５においてステップ２０５の代りにステップ２０９が行われる。
【００６８】
ステップ２０９では、記録ストラテジ記憶手段１１１の記録ストラテジテーブル中に光ディスク種類判別手段１０８からの光ディスク種別情報（光ディスク１０１のメーカを示す情報Ｍａｎｕｆａｃｔｕｒｅｒ  ＩＤや光ディスク１０１の種別を示す情報Ｍａｄｉａ  ＴｙｐｅＩＤ）に対応する最適記録ストラテジが存在しないので、情報記録装置に装着されているメディアは記録ストラテジの未知なメディア（最適な記録ストラテジを設定できないメディア）ということになる。そこで、コントローラ１０９のＣＰＵは、情報記録装置に装着されているメディアが記録ストラテジの未知なメディアである旨を上位装置１０５に通知する。以下これを未知メディア通知と呼ぶ。未知メディア通知はなにがしかの文字メッセージでもよいし、ある種の数値コードでもよい。
【００６９】
図１２は本実施形態７の上位装置ソフトウエア１１３の一部のアルゴリズム例を示す。この動作はＰＣ１０５のＣＰＵにより実行される。
スッテプ５０１では、ＰＣ１０５のＣＰＵは、下位の情報記録装置におけるコントローラ１０９からの未知メディア通知があったかどうかをチェックする。ＰＣ１０５のＣＰＵは、未知メディア通知がなければ、スッテプ５０２で、そのまま記録データをレーザ駆動手段１０４へ送ってデータ記録を続行させる。ＰＣ１０５のＣＰＵは、未知メディア通知があった場合には、スッテプ５０３で、情報記録装置に装着されているメディアが記録ストラテジの未知なメディアである旨を例えば「未知メディアです。記録ストラテジパラメータを更新してください。」といったメッセージで表示手段１１２に表示させる。この場合、ＰＣ１０５は、記録データをレーザ駆動手段１０４へ送出しない。
【００７０】
なお、上述の「記録ストラテジパラメータを更新してください。」という表示や通知は必須でない。単に情報記録装置に装着されている光ディスク１０１が記録ストラテジの未知な光ディスクである旨を表示手段１１２に表示させるだけでもよい。
【００７１】
情報記録装置に装着されている光ディスク１０１が記録ストラテジの未知な光ディスク１０１である旨を表示して、データ記録を行なわないことにより、最適でない記録ストラテジパラメータでデータが光ディスク１０１に記録されることはなく、データ記録品質が悪い状態でデータが光ディスク１０１に記録されるのを回避することができる。記録品質が悪い状態でデータが光ディスク１０１に記録されると、そのデータの読み出しができないだけでなく、そのデータがディレクトリ情報のような索引データの場合にはそれ以前に光ディスク１０１に書いたファイルも読み出しができなくなるのでよくない。
【００７２】
さらに、コントローラ１０９のＣＰＵが「記録ストラテジパラメータを更新してください。」と上位装置１０５のＣＰＵに通知あるいは表示手段１１２に表示させることにより、ユーザは適切な記録ストラテジパラメータを光ディスク記録装置のメーカから入手して更新することができる。記録ストラテジパラメータを更新することにより、光ディスク１０１の最適記録ストラテジが記録ストラテジ記憶手段１１１にサポートされていれば、最適記録ストラテジでデータを光ディスク１０１に記録することができる。
【００７３】
記録ストラテジの更新すべきデータは、たとえばインターネットのメーカＷｅｂサイトに定期的にアップされる。これをユーザが自由にダウンロードして、自分のＰＣ（ここでは上位装置１０５に該当）のＣＰＵから光ディスク記録装置（の記録ストラテジ更新手段１０７）に送出することができる。この場合、記録ストラテジ更新手段１０７は、上述したように、上位装置１０５のＣＰＵから記録ストラテジの更新すべきデータを受信し、このデータで記録ストラテジ記憶手段１１１の内容を更新する（その受信したデータで光ディスク１０１の種別が同じ記録ストラテジ記憶手段１１１内の記録ストラテジデータを更新する）。
【００７４】
また、記録ストラテジ記憶手段１１１の内容を更新するのは記録ストラテジデータだけでなく、その更新を制御する制御プログラムそのものも更新してもよい。この場合、ユーザがＰＣ１０５のＣＰＵで新たな記録ストラテジパラメータを定義して記録ストラテジ記憶手段１１１に追加したりでき、より最適な記録ストラテジパラメータを設定できるようになる。記録ストラテジ更新手段１０７は、上述したように、ＰＣ１０５のＣＰＵから記録ストラテジの更新すべきデータと装置制御プログラムを受信し、その受信したデータで記録ストラテジ記憶手段１１１の内容を更新し（その受信したデータで光ディスク１０１の種別が同じ記録ストラテジ記憶手段１１１内の記録ストラテジデータを更新し）またはその受信したデータ（新しいデータ）を記録ストラテジ記憶手段１１１に追加するとともに、記録ストラテジ記憶手段１１１の内容を更新する装置制御プログラムを上記受信した装置制御プログラムで更新する。
【００７５】
図１３は本発明の実施形態８の下位の情報記録装置におけるコントローラ１０９のより詳しい動作を、コントローラ１０９のアルゴリズムとして記述したものであり、この動作はコントローラ１０９のＣＰＵにより行われる。この実施形態８及び下位の情報記録装置は上記実施形態７及び下位の情報記録装置とは以下の点が異なる。図１３では、図１１においてステップ２０９の代りにステップ２０６〜２０８が行われる。ステップ２０７は光ディスク記録装置に装着されている光ディスク１０１が記録ストラテジの未知な光ディスク１０１であるときの処理であり、コントローラ１０９のＣＰＵは光ディスク記録装置に装着されている光ディスク１０１が記録ストラテジの未知な光ディスク１０１である旨の未知メディア通知を上位装置１０５のＣＰＵに送信する。上位装置１０５のＣＰＵはその未知メディア通知を受けて、必要に応じて上述のように続行指令をコントローラ１０９のＣＰＵへ送信する。
【００７６】
コントローラ１０９のＣＰＵは、ステップ２０８で上位装置１０５のＣＰＵから続行指令を受けたかどうかチェックし、続行指令を受けなければレーザ駆動手段１０４などを制御してデータ記録を行なわせない。ステップ２０６は、光ディスク記録装置に装着されている光ディスク１０１が記録ストラテジの未知な光ディスク１０１であるときに上位装置１０５のＣＰＵから続行指令を受けた場合であり、コントローラ１０９のＣＰＵは記録ストラテジ記憶手段１１１内の記録ストラテジテーブルの「デフォルト（Ｄｅｆａｕｌｔ）」の名前に対応する記録ストラテジパラメータを記録ストラテジ設定手段１０６に設定する。レーザ駆動手段１０４は記録ストラテジ設定手段１０６の設定した記録ストラテジで上位装置１０５からの記録データにより光源１０３を駆動し、光ディスク１０１に実際に記録データの記録を行なう。
【００７７】
Ｄｅｆａｕｌｔの名前に対応する記録ストラテジパラメータは、必ずしも最適ではないが、光ディスク１０１に記録したデータの読み出しには支障がない程度の品質でどんなメディアにもデータを記録できるようなパラメータになっている。このような記録ストラテジパラメータは、例えば、多くの種類のメディアの最適記録ストラテジパラメータを平均したパラメータとすることで求めることができる。
【００７８】
コントローラ１０９のＣＰＵは、上位装置１０５のＣＰＵから続行指令がない場合には、上述のようにデータ記録を中止させるが、記録ストラテジパラメータや装置制御プログラムの更新データが上位装置１０５のＣＰＵから送られてくるならば、上述のように図８や図９に示すアルゴリズムが起動される。
【００７９】
図１４は本発明の実施形態９における上位装置ソフトウエア１１３の一部のアルゴリズム例であり、この動作はＰＣ１０５のＣＰＵにより実行される。この実施形態９では、上記実施形態７において、図１２の上位装置ソフトウエア１１３の一部の代りに図１４の上位装置ソフトウエア１１３の一部が実行される。
【００８０】
ステップ６０１では、ＰＣ１０５のＣＰＵは、光ディスク記録装置のコントローラ１０９からの未知メディア通知があったかどうかをチェックする。ＰＣ１０５のＣＰＵは、コントローラ１０９のＣＰＵからの未知メディア通知がなかったならば、ステップ６０３でそのまま記録（レーザ駆動手段１０４への記録データの送出）を開始させる。ステップ６０４は、光ディスク記録装置に装着されているメディアが未知メディアである場合で、ＰＣ１０５のＣＰＵが「未知メディアです。デフォルトストラテジで記録しますか？」といったメッセージと選択肢（たとえばＹＥＳかＮＯ）を表示手段１１２に表示させる。ユーザは、この表示手段１１２の表示を見てデフォルトの記録ストラテジでデータ記録を行うか否かをＰＣ１０５の入力装置で入力する。
【００８１】
ＰＣ１０５のＣＰＵは、ステップ６０５で、ユーザがデフォルトの記録ストラテジでデータ記録を行うことを選択したか否かを入力装置からの入力信号より判断してユーザの選択結果がＹＥＳ（デフォルトの記録ストラテジでデータ記録を行う）であった場合には、ステップ６０７で光ディスク記録装置のコントローラ１０９に続行指令を送出し、ステップ６０３でレーザ駆動手段１０４への記録データの送出を行い、記録データの記録を開始させる。この場合、ユーザは、表示手段１１２の表示から光ディスク記録装置に装着されているメディアが未知メディアであると認識でき、記録ストラテジパラメータも更新しようと思うであろうが、とりあえずＰＣ１０５の入力装置でＹＳＥと入力すれば現在光ディスク記録装置に装着されているメディアにはすぐデータを記録できるので、時間を余分に使わなくて済む。デフォルトの記録ストラテジでは、記録品質は、最適ではないが、致命的に悪くはない。
【００８２】
ステップ６０８はユーザの選択結果がＮＯ（デフォルトの記録ストラテジでデータ記録をしない）であった場合で、ＰＣ１０５のＣＰＵが記録ストラテジの更新データを光ディスク記録装置の記録ストラテジ更新手段１０７に送出する。記録ストラテジの更新データは、上述のように、たとえばインターネットのメーカＷｅｂサイトに定期的にアップされる。これをユーザが自由にダウンロードしてＰＣ１０５上に置いておいたものを光ディスク記録装置の記録ストラテジ更新手段１０７に送出してもよいが、さらにすすんで、直接メーカのＷｅｂサイトと接続して、自動的にダウンロードを行い、これを光ディスク記録装置の記録ストラテジ更新手段１０７に送出してもよい。
【００８３】
また、上記更新データは、上述のように、記録ストラテジデータだけでなく、コントローラ制御プログラム（記録ストラテジデータの更新を制御する装置制御プログラム）を含んでもよい。ＰＣ１０５のＣＰＵは、記録ストラテジデータまたは、記録ストラテジデータ及び装置制御プログラムを光ディスク記録装置の記録ストラテジ更新手段１０７に送出したら、ステップ６０１に戻り、再び未知メディア通知のチェックから処理を行なう。
【００８４】
これにより、光ディスク記録装置に装着されているメディアが未知メディアであるとき、記録ストラテジパラメータを更新してからデータを記録するか、あるいはとりあえずすぐにＤｅｆａｕｌｔ記録ストラテジでデータを記録するかを選択することができる。これは、ユーザの記録品質に対する考え方や、時間の使い方などに対応して適宜に選ぶことが可能になる。
【００８５】
【発明の効果】
以上のように本発明によれば、情報記録装置に装着されている情報記録媒体が記録ストラテジの未知な情報記録媒体である旨を表示してデータ記録を行なわないことにより、最適でない記録ストラテジで情報記録媒体にデータ記録を行なうことがなく、データ記録品質が悪い状態でデータを記録するのを回避することができる。記録ストラテジの更新を通知あるいは表示することにより、ユーザは適切な記録ストラテジを情報記録装置のメーカから入手して更新することができる。記録ストラテジを更新することにより、情報記録媒体をサポートしていれば、最適記録ストラテジでデータを情報記録媒体に記録することができる。
【００８６】
未知情報記録媒体用の記録条件は、必ずしも最適な記録ストラテジではないが、情報記録媒体に記録したデータの読み出しには支障がない程度の品質でどんな情報記録媒体にも記録できる。従って、ユーザは当該装置に装着されている情報記録媒体が記録ストラテジの未知な情報記録媒体であると認識でき、記録ストラテジも更新しようと思うであろうが、とりあえず現在情報記録装置に装着されている情報記録媒体にはすぐデータを記録できるので、時間を余分に使わなくて済む。
【００８７】
情報記録装置に装着されている情報記録媒体が記録ストラテジの未知な情報記録媒体であるときに記録ストラテジを更新してから記録するか、あるいはとりあえずすぐに未知情報記録媒体用の記録ストラテジで記録するかを選択することができる。これはユーザの記録品質に対する考え方や、時間の使い方などに対応して適宜に選ぶことが可能になる。
【図面の簡単な説明】
【図１】本発明の実施形態１及びその上位装置を示すブロック図である。
【図２】本発明の実施形態２及びその上位装置を示すブロック図である。
【図３】上記実施形態のＷｒｉｔｅ  ｄａｔａ及びｌａｓｅｒ  ｐｕｌｓｅを示す波形図である。
【図４】上記実施形態の記録ストラテジテーブルを示す図である。
【図５】上記実施形態１、２のより詳しい動作をコントローラのアルゴリズムとして記述したフローチャートである。
【図６】本発明の実施形態３、４のより詳しい動作をコントローラのアルゴリズムとして記述したフローチャートである。
【図７】本発明の実施形態５、６のより詳しい動作をコントローラのアルゴリズムとして記述したフローチャートである。
【図８】上記実施形態１における記録ストラテジ更新手段の動作例を示すフローチャートである。
【図９】上記実施形態１における記録ストラテジ更新手段の他の動作例を示すフローチャートである。
【図１０】本発明の実施形態７及びその下位の情報記録装置を示すブロック図である。
【図１１】同実施形態７の下位の情報記録装置におけるコントローラのより詳しい動作をコントローラのアルゴリズムとして記述したフローチャートである。
【図１２】同実施形態７の上位装置ソフトウエアの一部のアルゴリズム例を示すフローチャートである。
【図１３】本発明の実施形態８の下位の情報記録装置におけるコントローラのより詳しい動作をコントローラのアルゴリズムとして記述したフローチャートである。
【図１４】本発明の実施形態９における上位装置ソフトウエアの一部のアルゴリズム例を示すフローチャートである。
【符号の説明】
１００      回転モータ
１０１      光ディスク
１０２      光学系
１０３      光源
１０４      レーザ駆動手段
１０５      上位装置
１０６      記録ストラテジ設定手段
１０７      記録ストラテジ更新手段
１０８      光ディスク種類判別手段
１０９      コントローラ
１１０      制御プログラム記憶手段
１１１      記録ストラテジ記憶手段
１１２      表示手段
１１３      ソフトウエア
【図１】
2004362631.tif 000003
【図２】
2004362631.tif 000004
【図３】
2004362631.tif 000005
【図４】
2004362631.tif 000006
【図５】
2004362631.tif 000007
【図６】
2004362631.tif 000008
【図７】
2004362631.tif 000009
【図８】
2004362631.tif 000010
【図９】
2004362631.tif 000011
【図１０】
2004362631.tif 000012
【図１１】
2004362631.tif 000013
【図１２】
2004362631.tif 000014
【図１３】
2004362631.tif 000015
【図１４】
2004362631.tif 000016